(57)【特許請求の範囲】
【請求項１】
音楽再生用ディスクからデータを再生するディスク再生部と、
記録用ディスクにデータを書き込むディスク記録部と、
前記ディスク記録部が前記記録用ディスクに書き込むデータを管理するディスク情報処理部とを備え、
前記ディスク情報処理部は、
前記記録用ディスクに記録可能な文字データを格納する文字データ格納手段と、
前記音楽再生用ディスクのリードインエリアに文字データが記録されているか否かを判別し、記録されていないと判別すると、前記文字データ格納手段が格納する文字データから前記記録用ディスクのリードインエリアに書き込む文字データを特定する判別処理手段と、
前記判別処理手段が特定した文字データを前記ディスク記録部が書込可能な信号に変換して前記ディスク記録部に供給する信号変換手段とを備え、
前記判別処理手段は、前記記録用ディスクのリードインエリアにディスクを管理するためのディスク管理番号が記録されているか否かを判別し、記録されていないと判別すると、前記ディスク記録部に指示して前記記録用ディスクのリードインエリアにディスク管理番号を書き込ませる、
ことを特徴とするディスク記録再生システム。
【請求項２】
前記文字データ格納手段は、見出し語と文字データとを関連付けて格納し、
前記ディスク情報処理部は、
前記文字データ格納手段が格納する見出し語と文字データを選択する選択手段を備え、
前記判別処理手段は、前記記録用ディスクのリードインエリアに書き込む文字データを特定する際に、まず、前記選択手段に見出し語を選択させ、次に、前記選択手段が選択した見出し語と関連付けられた文字データを前記選択手段に選択させて前記記録用ディスクのリードインエリアに書き込む文字データを特定する、
ことを特徴とする請求項１に記載のディスク記録再生システム。
【請求項３】
前記ディスク情報処理部は、
前記選択手段が見出し語を選択すると、外部のデータ蓄積機関にアクセスし、新たな文字データを取得して前記文字データ格納手段に格納する通信処理手段を備える、
ことを特徴とする請求項２に記載のディスク記録再生システム。
【請求項４】
前記文字データ格納手段は、前記通信処理手段が前記データ蓄積機関にアクセスするためのアクセスコードを見出し語と関連付けて格納し、
前記通信処理手段は、前記選択手段が見出し語を選択すると、選択された見出し語と関連付けられたアクセスコードを前記文字データ格納手段から読み出して前記データ蓄積機関にアクセスする、
ことを特徴とする請求項３に記載のディスク記録再生システム。
【請求項５】
前記文字データ格納手段が格納する見出し語と文字データを前記選択手段の選択に従って画面表示する画面表示部を備える、
ことを特徴とする請求項２、３又は４に記載のディスク記録再生システム。
【請求項６】
前記文字データ格納手段が格納する見出し語は、アーティストの名前であり、
前記文字データ格納手段が格納する文字データは、これまでに発表された曲の題名である、
ことを特徴とする請求項２乃至５のいずれか１項に記載のディスク記録再生システム。
【請求項７】
前記ディスク情報処理部は、
前記記録用ディスクの記録内容を管理するためのデータを格納する管理データ格納手段を備え、
前記判別処理手段は、前記ディスク記録部が書込を行う際に、前記記録用ディスクに記録するために特定した文字データと、前記ディスク記録部が前記記録用ディスクに書き込むディスク管理番号と、前記ディスク再生部が再生する楽曲データの一部を前記管理データ格納手段に格納する、
ことを特徴とする請求項１乃至６のいずれか１項に記載のディスク記録再生システム。
【請求項８】
前記ディスク情報処理部は、
リードインエリアにディスク管理番号が記録された複数のディスクから楽曲データを再生して新たな記録用ディスクに記録する際に、前記管理データ格納手段が格納するデータのうち当該新たな記録用ディスクに記録する楽曲データに対応するものを、該楽曲データの記録位置と関連付けて格納する編集データ格納手段を備える、
ことを特徴とする請求項７に記載のディスク記録再生システム。
【請求項９】
前記管理データ格納手段が格納するデータを画面表示及び音響出力することができる音響・画像出力部を備える、
ことを特徴とする請求項７又は８に記載のディスク記録再生システム。
【請求項１０】
前記記録用ディスクはＤＶＤ（Digital Versatile Disc）である、
ことを特徴とする請求項１乃至９のいずれか１項に記載のディスク記録再生システム。
【請求項１１】
再生用ディスクから楽曲データを再生して記録用ディスクに記録するディスク記録再生方法において、
前記再生用ディスクのリードインエリアを読み取って文字データが記録されているか否かを判別する再生内容判別ステップと、
前記再生内容判別ステップにて、前記再生用ディスクのリードインエリアに文字データが記録されていないと判別したときに、メモリが記憶している文字データから前記記録用ディスクに書き込む文字データを特定するデータ特定ステップと、
前記記録用ディスクのリードインエリアにディスクを管理するための番号が記録されているか否かを判別し、記録されていないと判別すると、前記記録用ディスクのリードインエリアにディスク管理番号を記録する管理番号記録ステップと、
前記データ特定ステップにて特定した文字データを前記記録用ディスクのリードインエリアに書き込む文字データ書込ステップと、
前記再生用ディスクから楽曲データを再生して前記記録用ディスクに記録する楽曲データ記録ステップと、
を備えることを特徴とするディスク記録再生方法。
【請求項１２】
前記データ特定ステップは、外部のデータ蓄積機関にアクセスして新たな文字データを取得し、前記メモリに格納するデータ取得ステップを備える、
ことを特徴とする請求項１１に記載のディスク記録再生方法。
【発明の詳細な説明】
【０００１】
【発明の属する技術分野】
この発明は、書込可能なディスク状記録媒体に楽曲データと共に文字データを記録するディスク記録再生システムに係り、特に、ユーザが編集して作成した記録用ディスクの記録内容を簡単に確認することができ、また、簡単に文字データを入力することができるディスク記録再生システムに関する。
【０００２】
【従来の技術】
ユーザが書込可能な光読取式ディスク状記録媒体としてＣＤ−Ｒ（Ｃｏｍｐａｃｔ  Ｄｉｓｋ  Ｒｅｃｏｒｄａｂｌｅ）やＭＤ（Ｍｉｎｉ  Ｄｉｓｃ）といったものが普及している。また、こうしたディスク状記録媒体に楽曲データと共に文字データを記録するディスク記録装置が知られている。
このようなディスク記録装置は、ユーザがリモートコントローラや本体パネルに備えられた押しボタンを押下して文字を１つずつ選択することにより、ディスク状記録媒体に書き込む文字データを作成する。
【０００３】
例えば、ＭＤ用のディスク記録装置は、こうして作成した文字データを、トラックの開始時間及び終了時間と関連付ける等して、ＭＤのプログラムエリア（楽曲データを記録する領域）の内周に設けられたＵＴＯＣ（Ｕｓｅｒ’ｓ  Ｔａｂｌｅ  Ｏｆ  Ｃｏｎｔｅｎｔｓ）部に書き込む。
これにより、再生時に、ディスクネームやトラックネーム（曲名、演奏者等）をインデックスタイトルとして表示することができる。
【０００４】
一方、ユーザが書込可能な大容量の光読取式ディスク状記録媒体として、ＤＶＤ−Ｒ（Ｄｉｇｉｔａｌ  Ｖｅｒｓａｔｉｌｅ  Ｄｉｓｃ  Ｒｅｃｏｒｄａｂｌｅ）、ＤＶＤ−ＲＷ（ＤＶＤ  ＲｅＷｒｉｔａｂｌｅ）、ＤＶＤ−ＲＡＭ（ＤＶＤ  Ｒａｎｄｏｍ  Ａｃｃｅｓｓ  Ｍｅｍｏｒｙ）といったものがある。
これらのディスク状記録媒体は、ＣＤやＭＤに比べて非常に大きなデータ容量を有していることから、ユーザは、これらのディスクに多くの楽曲データを記録して保存しておくことができる。
【０００５】
【発明が解決しようとする課題】
上記従来技術では、ユーザが文字データを入力するには、リモートコントローラや本体パネルの押しボタンを押下して１文字ずつ選択して文字データを作成する必要があり、文字データの入力に手間がかかっていた。
【０００６】
特に、ＤＶＤ−Ｒ等の高密度記録媒体では、１枚のディスクに記録可能な楽曲データの量が多く、それに伴って入力する文字データも増加するものと考えられる。また、ユーザが複数のディスクから好みの曲を選択して記録用ディスクに記録するときに、楽曲データは自動的に記録することができても、文字データは記録されないことがある。
このような場合に、従来のディスク記録装置と同様にして文字データを入力するのでは、非常に手間がかかる。
【０００７】
また、ユーザが編集したディスクにどのような曲が記録されているかを確認できるようにするには、ディスクを収納するケースにラベルを貼り付けて記録内容を記載するといった手間をかける必要があり煩瑣であった。
【０００８】
特に、ＤＶＤ−Ｒ等の高密度記録媒体では、多くの楽曲データが記録可能であることから、ユーザが記録内容を適切に把握できるようにするためには非常に手間がかかる。
【０００９】
この発明は、上記実状に鑑みてなされたものであり、書込可能なディスク状記録媒体に文字データを簡単に記録することができるディスク記録再生システムを提供することを目的とする。
また、この発明は、ユーザが編集した記録用ディスクの記録内容を簡単に確認することができるディスク記録再生システム及びこのディスク記録再生システムが管理可能なディスク状記録媒体を提供することを他の目的とする。
【００１０】
【課題を解決するための手段】
上記目的を達成するべく、この発明の第１の観点に係るディスク記録再生システムは、
音楽再生用ディスクからデータを再生するディスク再生部と、
記録用ディスクにデータを書き込むディスク記録部と、
前記ディスク記録部が前記記録用ディスクに書き込むデータを管理するディスク情報処理部とを備え、
前記ディスク情報処理部は、
前記記録用ディスクに記録可能な文字データを格納する文字データ格納手段と、
前記音楽再生用ディスクのリードインエリアに文字データが記録されているか否かを判別し、記録されていないと判別すると、前記文字データ格納手段が格納する文字データから前記記録用ディスクのリードインエリアに書き込む文字データを特定する判別処理手段と、
前記判別処理手段が特定した文字データを前記ディスク記録部が書込可能な信号に変換して前記ディスク記録部に供給する信号変換手段とを備え、
前記判別処理手段は、前記記録用ディスクのリードインエリアにディスクを管理するためのディスク管理番号が記録されているか否かを判別し、記録されていないと判別すると、前記ディスク記録部に指示して前記記録用ディスクのリードインエリアにディスク管理番号を書き込ませることを特徴とする。
【００１１】
このような構成によれば、ディスク情報処理部が備える判別処理手段は、音楽再生用ディスクに文字データが記録されていなくても、文字データ格納手段が格納する文字データから記録用ディスクに記録する文字データを特定することができる。
これにより、書込可能なディスク状記録媒体に簡単に文字データを記録することができる。
また、ディスク情報処理部は、ディスク記録部がデータを記録して作成した記録用ディスクを識別して統括的に管理することができ、ディスク管理番号に基づいて記録内容を簡単に確認することができる。
【００１２】
前記文字データ格納手段は、見出し語と文字データとを関連付けて格納し、
前記ディスク情報処理部は、
前記文字データ格納手段が格納する見出し語と文字データを選択する選択手段を備え、
前記判別処理手段は、前記記録用ディスクのリードインエリアに書き込む文字データを特定する際に、まず、前記選択手段に見出し語を選択させ、次に、前記選択手段が選択した見出し語と関連付けられた文字データを前記選択手段に選択させて前記記録用ディスクのリードインエリアに書き込む文字データを特定することが望ましい。
これにより、多くの文字データから記録用ディスクに記録するものを特定する際に、簡単な操作で特定することができる。
【００１３】
前記ディスク情報処理部は、
前記選択手段が見出し語を選択すると、外部のデータ蓄積機関にアクセスし、新たな文字データを取得して前記文字データ格納手段に格納する通信処理手段を備えることが望ましい。
これにより、文字データ格納手段に格納されていない文字データであっても簡単に取得して記録用ディスクに記録することができる。
【００１４】
前記文字データ格納手段は、ＵＲＬ（Ｕｎｉｖｅｒｓａｌ  Ｒｅｓｏｕｒｃｅ  Ｌｏｃａｔｏｒｓ）等の、前記通信処理手段が前記データ蓄積機関にアクセスするためのアクセスコードを見出し語と関連付けて格納し、
前記通信処理手段は、前記選択手段が見出し語を選択すると、選択された見出し語と関連付けられたアクセスコードを前記文字データ格納手段から読み出して前記データ蓄積機関にアクセスするようにしてもよい。
【００１５】
また、このディスク記録再生システムは、
前記文字データ格納手段が格納する見出し語と文字データを前記選択手段の選択に従って画面表示する画面表示部を備えることが望ましい。
これにより、記録用ディスクに記録する文字データをわかりやすく表示して簡単に特定することができる。
【００１６】
また、前記文字データ格納手段が格納する見出し語は、アーティストの名前であり、
前記文字データ格納手段が格納する文字データは、これまでに発表された曲の題名であることが望ましい。
【００１８】
前記ディスク情報処理部は、
前記記録用ディスクの記録内容を管理するためのデータを格納する管理データ格納手段を備え、
前記判別処理手段は、前記ディスク記録部が書込を行う際に、前記記録用ディスクに記録するために特定した文字データと、前記ディスク記録部が前記記録用ディスクに書き込むディスク管理番号と、前記ディスク再生部が再生する楽曲データの、イントロ部分といった、一部を前記管理データ格納手段に格納することが望ましい。
これにより、ディスク情報処理部は、ユーザが編集した記録用ディスクの記録内容を統括的に管理して、記録用ディスクの記録内容を簡単に確認することを可能とする。
【００１９】
また、前記ディスク情報処理部は、
リードインエリアにディスク管理番号が記録された複数のディスクから楽曲データを再生して新たな記録用ディスクに記録する際に、前記管理データ格納手段が格納するデータのうち当該新たな記録用ディスクに記録する楽曲データに対応するものを、該楽曲データの記録位置と関連付けて格納する編集データ格納手段を備えるようにしてもよい。
【００２０】
前記管理データ格納手段が格納するデータを画面表示及び音響出力することができる音響・画像出力部を備えることが望ましい。
これにより、記録用ディスクの記録内容を簡単に確認することができる。
【００２１】
また、前記記録用ディスクはＤＶＤ（Ｄｉｇｉｔａｌ  Ｖｅｒｓａｔｉｌｅ  Ｄｉｓｃ）であることが望ましい。即ち、ＤＶＤといった大容量の記録媒体に記録されている内容を簡単に確認することができることが望ましい。
【００２２】
この発明の第２の観点に係るディスク記録再生方法は、
再生用ディスクから楽曲データを再生して記録用ディスクに記録するディスク記録再生方法において、
前記再生用ディスクのリードインエリアを読み取って文字データが記録されているか否かを判別する再生内容判別ステップと、
前記再生内容判別ステップにて、前記再生用ディスクのリードインエリアに文字データが記録されていないと判別したときに、メモリが記憶している文字データから前記記録用ディスクに書き込む文字データを特定するデータ特定ステップと、
前記記録用ディスクのリードインエリアにディスクを管理するための番号が記録されているか否かを判別し、記録されていないと判別すると、前記記録用ディスクのリードインエリアにディスク管理番号を記録する管理番号記録ステップと、
前記データ特定ステップにて特定した文字データを前記記録用ディスクのリードインエリアに書き込む文字データ書込ステップと、
前記再生用ディスクから楽曲データを再生して前記記録用ディスクに記録する楽曲データ記録ステップとを備えることを特徴とする。
【００２３】
また、前記データ特定ステップは、外部のデータ蓄積機関にアクセスして新たな文字データを取得し、前記メモリに格納するデータ取得ステップを備えてもよい。
【００２６】
【発明の実施の形態】
以下に、図面を参照して、この発明の実施の形態に係るディスク記録再生システムについて詳細に説明する。
【００２７】
図１は、この発明の実施の形態に係るディスク記録再生システムの構成を示す図である。
図示するように、このディスク記録再生システムは、再生用ディスクＤＰと、記録用ディスクＤＲと、ディスク再生装置１と、ディスク記録・再生装置２と、音響・画像出力装置３と、ディスク情報処理装置４とから構成される。
【００２８】
再生用ディスクＤＰは、ＭＤ（Ｍｉｎｉ  Ｄｉｓｃ）、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の光読取式のディスク状記録媒体（音楽再生用ディスク）である。
再生用ディスクＤＰの記録エリアは、ディスクの内周より、ディスクのＴＯＣ（Ｔａｂｌｅ  Ｏｆ  Ｃｏｎｔｅｎｔｓ）等を記録するリードインエリア、楽曲データ等のデータを記録するプログラムエリア、プログラムエリアの終了を示すリードアウトエリアに分けられている。
【００２９】
記録用ディスクＤＲは、ＭＤ、ＣＤ−Ｒ（ＣＤ  Ｒｅｃｏｒｄａｂｌｅ）、ＤＶＤ−Ｒ（ＤＶＤ  Ｒｅｃｏｒｄａｂｌｅ）、ＤＶＤ−ＲＷ（ＤＶＤ  ＲｅＷｒｉｔａｂｌｅ）、ＤＶＤ−ＲＡＭ（ＤＶＤ  Ｒａｎｄｏｍ  Ａｃｃｅｓｓ  Ｍｅｍｏｒｙ）等のユーザが書込可能なディスク状記録媒体である。記録用ディスクＤＲの記録エリアは、ディスクの内周より、リードインエリア、プログラムエリア、リードアウトエリアに分けられている。
記録用ディスクＤＲのリードインエリアには、ディスク記録・再生装置２がデータを記録する際に、ディスク管理番号と、曲順番号（トラック番号）と、文字データが記録される。
【００３０】
ディスク再生装置１は、光ピックアップ、スピンドルモータ、アクチュエータ等から構成され、再生用ディスクＤＰに記録されたデータを再生するためのものである。
また、ディスク再生装置１は、複数の再生用ディスクＤＰを装填して自動的にディスクを入れ替えて再生を可能とするオートチェンジ機能を備えていてもよい。
【００３１】
ディスク記録・再生装置２は、光ピックアップ、スピンドルモータ、アクチュエータ等から構成され、記録用ディスクＤＲにデータを記録するためのものである。
また、ディスク記録・再生装置２は、再生用ディスクＤＰに記録されたデータを再生することも可能である。
【００３２】
音響・画像出力装置３は、ＣＲＴ（Ｃａｔｈｏｒｄ  Ｒａｙ  Ｔｕｂｅ）ディスプレイ、スピーカ等から構成され、ディスク情報処理装置４の信号処理部１６から音響出力信号と画像出力信号を受けて音響と画像を出力するためのものである。
【００３３】
ディスク情報処理装置４は、ディスク再生装置１やディスク記録・再生装置２が再生・記録するデータを管理するためのものである。
ディスク情報処理装置４は、通信Ｉ／Ｆ（インタフェース）１０と、ＲＡＭ（Ｒａｎｄｏｍ  Ａｃｃｅｓｓ  Ｍｅｍｏｒｙ）１１と、制御部１２と、ＲＯＭ（Ｒｅａｄ  Ｏｎｌｙ  Ｍｅｍｏｒｙ）１３と、表示部１４と、入力部１５と、信号処理部１６とを備え、これらはバス１７により相互に接続されている。
【００３４】
通信Ｉ／Ｆ（インタフェース）１０は、回線終端装置等から構成され、公衆回線を通じて外部のデータ蓄積機関にアクセスして新たな文字データを取得するための通信処理部である。
【００３５】
ＲＡＭ１１は、半導体メモリ等から構成され、図２に示すように、文字データ格納エリア２０と、管理データ格納エリア２１と、編集データ格納エリア２２とを備える。
【００３６】
文字データ格納エリア２０は、ディスク記録・再生装置２が記録用ディスクＤＲに書込可能な文字データを格納するための領域である。
文字データ格納エリア２０は、通信Ｉ／Ｆ１０が外部のデータ蓄積機関から取得した文字データを格納する。
また、文字データ格納エリア２０は、見出し語に相当するアーティストの名前と、そのアーティストがこれまでに発表した曲全ての題名といった文字データとを関連付けて格納する。
【００３７】
管理データ格納エリア２１は、ディスク記録・再生装置２がデータの書き込みを行った記録用ディスクＤＲを管理するためのデータを格納する領域である。
すなわち、管理データ格納エリア２１は、ディスク記録・再生装置２が記録用ディスクＤＲに書き込んだデータのうち、リードインエリアに書き込んだディスク管理番号、曲順番号（トラック番号）、文字データと、各曲における最初の数秒間に相当する楽曲データとをそれぞれ関連付けて格納する。
【００３８】
図３は、管理データ格納エリア２１が格納するデータの構成の一例を示す図である。
この例では、ディスク記録・再生装置２が記録用ディスクＤＲに、１２曲の楽曲データと共に文字データを記録した場合のデータを示している。
図示するように、管理データ格納エリア２１が格納するデータは、ディスク管理番号を示す部位「ディスク番号」と、文字データのうちディスクネームを示す部位「ディスクネーム」と、曲順番号（トラック番号）を示す部位「トラック番号」と、文字データのうち各トラックのトラックネームを示す部位「トラックネーム」とを含んでいる。また、管理データ格納エリア２１が格納するデータは、各トラックにおける最初の数秒間に相当する楽曲データ（ハッチングを付して示す）を各曲のイントロ部分として含んでいる。
【００３９】
図２の編集データ格納エリア２２は、ディスク記録・再生装置２が記録用ディスクＤＲに書き込む文字データやディスク再生装置１が再生用ディスクＤＰに記録されている楽曲データを再生する順番を示すデータを格納するための領域である。
即ち、編集データ格納エリア２２は、リードインエリアにディスク管理番号が記録されたディスクから楽曲データを再生して新たなディスクに記録する際に、管理データ格納エリア２１が格納するデータのうち新たなディスクに記録する楽曲データに対応するものを楽曲データの記録位置と関連付けて一時的に格納する。
【００４０】
図４は、編集データ格納エリア２２が格納するデータの構成の一例を示す図である。
この例では、記録用ディスクＤＲにトラック数（曲数）１５からなる楽曲データと共に文字データを記録する場合を示している。
図示するように、編集データ格納エリア２２が格納するデータは、ディスク管理番号を示す部位「ディスク管理番号」と、文字データのうちディスクネームを示す部位「ディスクネーム」と、曲順番号（トラック番号）を示す部位「トラック番号」と、文字データのうち各トラックのトラックネームを示す部位「トラックネーム」とを含んでいる。また、編集データ格納エリア２２は、各曲が記録されている再生用ディスクＤＰのディスク管理番号を示す「再生ディスク番号」と、再生用ディスクＤＰにおける各曲の曲順番号（トラック番号）を示す「再生トラック番号」とを各曲のデータと関連付けて格納する。
【００４１】
図１の制御部１２は、ＣＰＵ（Ｃｅｎｔｒａｌ  Ｐｒｏｃｅｓｓｉｎｇ  Ｕｎｉｔ）等から構成され、このディスク情報処理装置４全体の動作を制御するためのものである。
【００４２】
ＲＯＭ１３は、半導体メモリ等から構成され、制御部１２の動作を規定するプログラムを格納するためのものである。
【００４３】
表示部１４は、ＬＣＤ（Ｌｉｑｕｉｄ  Ｃｒｙｓｔａｌ  Ｄｉｓｐｌａｙ）等から構成され、制御部１２が実行する処理の結果を表示してユーザに通知するためのものである。
【００４４】
入力部１５は、キーパッド、リモートコントローラ等から構成され、ユーザがこのディスク情報処理装置４の動作を指示するための指示入力を検出するものである。
【００４５】
信号処理部１６は、ＤＳＰ（Ｄｉｇｉｔａｌ  Ｓｉｇｎａｌ  Ｐｒｏｃｅｓｓｏｒ）等から構成され、ディスク情報処理装置４がディスク再生装置１、ディスク記録・再生装置２及び音響・画像出力装置３との間でデータを送受信するための信号変換部である。
信号処理部１６は、ディスク再生装置１又はディスク記録・再生装置２がディスク状記録媒体から再生するＥＦＭ（Ｅｉｇｈｔ−ｔｏ−Ｆｏｕｒｔｅｅｎ  Ｍｏｄｕｌａｔｉｏｎ）信号をディスク情報処理装置４が処理可能な信号に変換する。また、信号処理部１６は、ディスク情報処理装置４の各部から受けた信号をＥＦＭ信号に変換し、ディスク記録・再生装置２に書込用の信号として供給する。さらに、信号処理部１６は、ディスク再生装置１及びディスク記録・再生装置２から受けた楽曲データや制御部１２から受けた文字データを音響出力信号や画像出力信号に変換して音響・画像出力装置３に供給する。
また、信号処理部１６は、通信Ｉ／Ｆ１０が外部のデータ蓄積機関から取得した情報を画像出力信号に変換して音響・画像出力装置３に供給する。
【００４６】
以下に、この発明の実施の形態に係るディスク記録再生システムの動作を説明する。
【００４７】
このディスク記録再生システムは、ディスク情報処理装置４が記録用ディスクＤＲに書き込むデータを統括的に管理することにより、記録用ディスクＤＲに記録する文字データを簡単に入力することができ、また、記録内容を簡単に確認することができるシステムである。
【００４８】
このディスク記録再生システムは、楽曲データが記録されたディスクから通常の再生を行う際には、以下のように動作する。
【００４９】
まず、ユーザは、ディスク再生装置１又はディスク記録・再生装置２にディスクをセットする。
ディスク再生装置１又はディスク記録・再生装置２は、セットされたディスクのリードインエリアに記録されたデータを再生してディスク情報処理装置４の信号処理部１６に送る。
【００５０】
信号処理部１６は、ディスク再生装置１又はディスク記録・再生装置２から受けた信号を表示部１４が表示可能な形式に変換して表示部１４に送る。
表示部１４は、信号処理部１６から受けた信号により、セットされたディスクの曲数（トラック数）やディスクネームを表示する。
【００５１】
この後、ユーザが入力部１５が備える再生ボタン（図示せず）を押下する等してディスクの再生を指示すると、ディスク再生装置１又はディスク記録・再生装置２は、セットされたディスクのプログラムエリアに記録された楽曲データを再生して信号処理部１６に送る。
信号処理部１６は、ディスク再生装置１又はディスク記録・再生装置２から受けた楽曲データを音響出力信号に変換して音響・画像出力装置３に供給する。
【００５２】
音響・画像出力装置３は、信号処理部１６から音響出力信号を受けて音響を出力する。
【００５３】
（ディスク再生・記録処理）
次に、図５に示すように、ディスク再生装置１が１枚の再生用ディスクＤＰ１から読み取ったデータを、ディスク記録・再生装置２が１枚の記録用ディスクＤＲ１に記録する際の動作を説明する。
【００５４】
始めにユーザは、ディスク再生装置１に再生用ディスクＤＰ１をセットすると共にディスク記録・再生装置２に記録用ディスクＤＲ１をセットする。
そして、ユーザは、入力部１５が備える録音キー（図示せず）を押下する等して録音処理の開始を指示する。
【００５５】
ディスク情報処理装置４は、録音処理開始の指示を受けて、制御部１２が、図６のフローチャートに示すディスク再生・記録処理を開始する。
【００５６】
まず、制御部１２は、信号処理部１６を介して、ディスク再生装置１及びディスク記録・再生装置２にリードインエリアの読み取りを指示する。
【００５７】
ディスク再生装置１は再生用ディスクＤＰ１のリードインエリアに記録されたデータを再生し、信号処理部１６を介して制御部１２に送る。また、ディスク記録・再生装置２は、記録用ディスクＤＲ１のリードインエリアに記録されたデータを再生し、信号処理部１６を介して制御部１２に送る。即ち、ディスク再生装置１は、再生用ディスクＤＰ１のリードインエリアに記録されたディスク管理番号、曲順番号、文字データを再生して制御部１２に通知する。また、ディスク記録・再生装置２は、記録用ディスクＤＲ１のディスク管理番号、曲順番号（トラック番号）等を再生して制御部１２に通知する（ステップＳ１）。
また、制御部１２は、ディスク再生装置１及びディスク記録・再生装置２から受けたデータを編集データ格納エリア２２に格納する。
【００５８】
制御部１２は、ディスク再生装置１から受けた通知から、再生用ディスクＤＰ１のリードインエリアに文字データが記録されているか否かを判別する（ステップＳ２）。
【００５９】
制御部１２は、再生用ディスクＤＰ１に文字データが記録されていないと判別すると（ステップＳ２にてＮＯ）、「文字データはありません」等の画面表示を表示部１４に出力し（ステップＳ３）、文字データ選択処理を実行する（ステップＳ４）。
なお、文字データ選択処理については後述する。
【００６０】
一方、制御部１２は、再生用ディスクＤＰ１に文字データが記録されていると判別すると（ステップＳ２にてＹＥＳ）、再生用ディスクＤＰ１のディスクネームを表示部１４に出力する（ステップＳ５）。これにより、ディスク情報処理装置４は、再生用ディスクＤＰ１に文字データが記録されていることをユーザに通知することができる。
【００６１】
この後、制御部１２は、ユーザが入力部１５の録音ボタンを再び押下する等して録音開始を指示するのを待つ（ステップＳ６にてＮＯ）。
【００６２】
制御部１２は、録音開始の指示を受けると（ステップＳ６にてＹＥＳ）、ステップＳ１にてディスク記録・再生装置２から受けた通知により、記録用ディスクＤＲ１にディスク管理番号が付されているか否かを判別する（ステップＳ７）。
【００６３】
制御部１２は、記録用ディスクＤＲ１にディスク管理番号が付されていないと判別すると（ステップＳ７にてＮＯ）、ディスク記録・再生装置２にディスク管理番号の書込を指示する。
【００６４】
ディスク記録・再生装置２は、ディスクを管理するための識別番号であるディスク管理番号を記録用ディスクＤＲ１のリードインエリアに書き込む（ステップＳ８）。
【００６５】
一方、制御部１２は、記録用ディスクＤＲ１にディスク管理番号が付されていると判別すると（ステップＳ７にてＹＥＳ）、ステップＳ８の処理をスキップし、ステップＳ９に処理を進める。
【００６６】
制御部１２は、ディスク記録・再生装置２に曲順番号（トラック番号）を記録するよう指示を与え、ディスク記録・再生装置２は、記録用ディスクＤＲ１のリードインエリアに曲順番号（トラック番号）を書き込む（ステップＳ９）。
【００６７】
ここでまず、制御部１２は、ステップＳ１にてディスク再生装置１及びディスク記録・再生装置２から受けた通知から書込を行う曲順番号（トラック番号）を特定する。即ち、制御部１２は、再生用ディスクＤＰ１のリードインエリアに記録されている曲順番号（トラック番号）及び記録用ディスクＤＲ１のリードインエリアに記録されている曲順番号から楽曲データを書き込むトラックの番号を特定する。
【００６８】
例えば、再生用ディスクＤＰ１に記録されている曲数が１２であり、記録用ディスクＤＲ１に記録されている曲数が５であれば、制御部１２は、楽曲データを書き込むトラックの番号が６〜１７であると特定する。
【００６９】
そして、制御部１２は、特定した曲順番号（トラック番号）を信号処理部１６に送り、信号処理部１６は、ディスク記録・再生装置２に通知する。
ディスク記録・再生装置２は、信号処理部１６から受けた通知により、記録用ディスクＤＲ１のリードインエリアへの書込を行う。
【００７０】
この後、制御部１２は、信号処理部１６を介してディスク記録・再生装置２に記録用ディスクＤＲ１への文字データの書込を指示する。即ち、制御部１２は、ＲＡＭ１１の編集データ格納エリア２２から記録用ディスクＤＲ１に書き込む文字データを取り出し、信号処理部１６を介してディスク記録・再生装置２に送る。
【００７１】
ディスク記録・再生装置２は、受け取った文字データを記録用ディスクＤＲ１のリードインエリアに書き込む（ステップＳ１０）。
【００７２】
次に、制御部１２は、ディスク再生装置１に楽曲データの再生を開始する旨の指示を送る。
【００７３】
ディスク再生装置１は、制御部１２から受けた指示に従って再生用ディスクＤＰ１に記録された楽曲データを再生し、ディスク記録・再生装置２に送る。
【００７４】
ディスク記録・再生装置２は、ディスク再生装置１から受けた楽曲データを記録用ディスクＤＲ１に書き込む（ステップＳ１１）。
【００７５】
この際、制御部１２は、ディスク記録・再生装置２が書込を行っている記録用ディスクＤＲ１に関する情報を管理データ格納エリア２１に書き込んで格納する。即ち、制御部１２は、上記ステップＳ８にて記録用ディスクＤＲ１に書き込んだディスク管理番号、上記ステップＳ９にて書き込んだ曲順番号、上記ステップＳ１０にて書き込んだ文字データを管理データ格納エリア２１に格納する。また、ディスク再生装置１は、再生した楽曲データのうち、各トラックの最初の数秒間に相当するデータを信号処理部１６を介してＲＡＭ１１に送り、管理データ格納エリア２１に各曲のイントロ部分として格納する。
これにより、ディスク情報処理装置４は、新たに楽曲データを記録した記録用ディスクＤＲ１に関する情報を登録し、ユーザが編集したディスクを統括的に管理することができる。
【００７６】
また、制御部１２は、ディスク記録・再生装置２が楽曲データの書込を行う際、記録用ディスクＤＲにおいて各曲の楽曲データが記録されるエリアの先頭部分にコントロールエリアを設け、各楽曲データに対応する曲順番号（トラック番号）を記録させる。
【００７７】
制御部１２は、ステップＳ１１にて記録用ディスクＤＲ１への楽曲データの書込を終えるとディスク再生・記録処理を終了する。
【００７８】
このようにして記録用ディスクＤＲ１には、楽曲データと共に文字データが書き込まれ、再生の際、インデックスタイトルとして読出可能となる。
【００７９】
例えば、上記処理により楽曲データが記録された記録用ディスクＤＲ１をディスク再生装置１にセットすると、ディスク再生装置１は記録用ディスクＤＲ１のリードインエリアから文字データを読み取って音響・画像出力装置３に画面表示して、ユーザに記録内容をわかりやすく提示することができる。
【００８０】
また、記録用ディスクＤＲ１にはディスク管理番号が付され、記録内容（ディスク管理番号、曲順番号、文字データ等）が管理データ格納エリア２１に格納されるので、ディスク情報処理装置４は、ディスクを統括的に管理することができる。
【００８１】
例えば、記録用ディスクＤＲ１がディスク再生装置１とディスク記録・再生装置２のいずれにもセットされていない場合に、ユーザが、入力部１５より管理データの表示を指示すると、制御部１２は、管理データ格納エリア２１に格納されたデータを信号処理部１６を介して音響・画像出力装置３に出力することができる。即ち、制御部１２は、管理データ格納エリア２１に格納されたディスク管理番号、曲順番号（トラック番号）、文字データを音響・画像出力装置３に画面表示させ、各曲のイントロ部分を音響出力させることができる。
これにより、ユーザは、自作した記録用ディスクＤＲ１の記録内容を簡単に確認することができる。
【００８２】
（文字データ選択処理）
次に、上記ディスク再生・記録処理のステップＳ４にて制御部１２が実行する文字データ選択処理について、図７に示すフローチャートを参照して説明する。
【００８３】
制御部１２は、文字データ選択処理を開始すると、入力部１５がユーザからのキー入力を受けるのを待つ（ステップＳ２０にてＮＯ）。
【００８４】
制御部１２は、入力部１５がキー入力を受けたことを検出して（ステップＳ２０にてＹＥＳ）、入力部１５が受けたキー入力に従って文字データ格納エリア２０を検索し、記録用ディスクＤＲ１に書き込む文字データを特定する。
以下、制御部１２が文字データを特定するための処理について具体例を用いて説明する。
【００８５】
例えば、ユーザが入力部１５が備える方向キー（図示せず）を操作する等して「松田」という文字を設定すると、制御部１２は、文字データ格納エリア２０が格納する文字データ（見出し語）のうち、アーティストの名前で「松田」という文字を含むものを検索する（ステップＳ２１）。
【００８６】
制御部１２は、検索結果を信号処理部１６に送り、信号処理部１６が画像信号に変換して音響・画像出力装置３に画面表示させる（ステップＳ２２）。
【００８７】
このときの表示画面の一例を図８に示す。
図示するように、この例では、音響・画像出力装置３は、アーティストの名前で「松田」という文字を含むものをカーソルＣＳと共に画面表示する。
この後、ユーザが入力部１５からカーソルＣＳの移動を指示して項目「松田
聖・・・」を選択すると、制御部１２は、音響・画像出力装置３への画面表示により、文字データ格納エリア２０が格納する文字データを最新のものに更新するか否かをユーザに確認する（ステップＳ２３）。
【００８８】
制御部１２は、文字データを更新すると判別すると（ステップＳ２３にてＹＥＳ）、通信Ｉ／Ｆ１０により最新の文字データを取得する最新データ取得処理を実行する（ステップＳ２４）。
なお、最新データ取得処理については、後述する。
【００８９】
一方、制御部１２は、文字データを更新しないと判別すると、ステップＳ２４の最新データ取得処理をスキップしてステップＳ２５に処理を進める。
【００９０】
制御部１２は、文字データ格納エリア２０から項目「松田  聖・・・」に関連付けられた曲の題名を示す文字データを取り出して信号処理部１６を介して音響・画像出力装置３に画面表示させる（ステップＳ２５）。
【００９１】
このときの画面表示の一例を図９に示す。
図示するように、この例では、音響・画像出力装置３は、「松田  聖・・・」というアーティストが発表した曲の題名をカーソルＣＳと共に画面表示する。
【００９２】
ユーザは、入力部１５からカーソルＣＳの移動を指示して、画面に表示された項目を選択する。
【００９３】
制御部１２は、入力部１５が受けた指示により、記録用ディスクＤＲ１に書き込む文字データを特定する（ステップＳ２６）。
これにより、ユーザは、１文字ずつ文字を選択して文字データを作成する必要がなく、簡単に文字データを作成することができる。
【００９４】
制御部１２は、特定した文字データを曲順番号に従って編集データ格納エリア２２に格納する（ステップＳ２７）。
【００９５】
制御部１２は、図６のステップＳ１にてディスク再生装置１が再生用ディスクＤＰ１から再生したデータから特定した曲順番号（トラック番号）に対応する文字データが全て入力されたか否かを判別する（ステップＳ２８）。
【００９６】
制御部１２は、曲順番号（トラック番号）に対応する文字データが入力されていないものがあると判別すると（ステップＳ２８にてＮＯ）、処理はステップＳ２０にリターンして、文字データを特定するための処理を続ける。
【００９７】
一方、制御部１２は、曲順番号（トラック番号）に対応する文字データが全て入力されたと判別すると（ステップＳ２８にてＹＥＳ）、文字データ選択処理を終了して図６のステップＳ６に処理を進める。
【００９８】
なお、ユーザは、制御部１２が文字データ選択処理を実行中であっても、入力部１５が備えるモード変更キー（図示せず）を押下する等して、文字データ選択処理を終了して図６のステップＳ６に処理を進めてもよい。即ち、文字データの選択は強制されるものではなく、ユーザの指示に従って、文字データを選択しなくても録音を開始することは可能である。
【００９９】
このようにして、ディスク情報処理装置４は、再生用ディスクＤＰ１に文字データが記録されていなくても、簡単な操作で文字データを選択して記録用ディスクＤＲ１に記録する文字データを特定することができる。
【０１００】
（最新データ取得処理）
次に、上記文字データ選択処理のステップＳ２４にて制御部１２が実行する最新データ取得処理について、図１０に示すフローチャートを参照して説明する。
【０１０１】
制御部１２は、最新データ取得処理を開始すると、ＲＯＭ１３から通信を行うための実行プログラムを読み出し、通信Ｉ／Ｆ１０から外部のデータ蓄積機関にアクセスする（ステップＳ３０）。即ち、制御部１２は、インターネット接続のためのアプリケーションプログラムを実行して所定のＩＳＰ（Ｉｎｔｅｒｎｅｔ  Ｓｅｒｖｉｃｅ  Ｐｒｏｖｉｄｅｒ）に接続する等して、文字データ格納エリア２０に格納するための文字データを提供するデータ蓄積機関にアクセスする。この際、通信Ｉ／Ｆ１０は、ユーザが入力部１５を用いて入力したＵＲＬ（Ｕｎｉｖｅｒｓａｌ  Ｒｅｓｏｕｒｃｅ  Ｌｏｃａｔｏｒｓ）等に従ってデータ蓄積機関を特定してアクセスすればよい。
【０１０２】
通信Ｉ／Ｆ１０は、データ蓄積機関から文字データを取得して信号処理部１６に送り、信号処理部１６は、画像出力信号に変換して音響・画像出力装置３に送る（ステップＳ３１）。
【０１０３】
音響・画像出力装置３は、信号処理部１６から受けた画像出力信号に従って、通信Ｉ／Ｆ１０が取得した文字データを画面表示する（ステップＳ３２）。これにより、ユーザは、ディスク情報処理装置４が外部のデータ蓄積機関から取得した文字データを閲覧することができる。
【０１０４】
制御部１２は、信号処理部１６を介して音響・画像出力装置３に外部のデータ蓄積機関から取得した文字データを保存するか否かをユーザに尋ねる画面を表示させる。制御部１２は、入力部１５からユーザの指示を受けて文字データを保存するか否かを判別する（ステップＳ３３）。
【０１０５】
制御部１２は、文字データを保存すると判別すると（ステップＳ３３にてＹＥＳ）、通信Ｉ／Ｆ１０が取得した文字データをアーティスト名と関連付けて文字データ格納エリア２０に書き込んで格納し、最新データ取得処理を終了する（ステップＳ３４）。
【０１０６】
一方、制御部１２は、文字データを保存しないと判別すると（ステップＳ３２にてＮＯ）、通信Ｉ／Ｆ１０が取得した文字データを破棄して最新データ取得処理を終了する（ステップＳ３５）。
【０１０７】
これにより、ユーザは、アーティストに関する最新情報を雑誌、広告、放送媒体等から得てディスク情報処理装置４に入力するという手間をかけることなく、記録用ディスクＤＲに記録可能な文字データを簡単に取得することができる。
【０１０８】
（選曲記録処理）
次に、上記ディスク再生・記録処理により管理データ格納エリア２１に登録された複数の再生用ディスクに記録された楽曲データから、更にユーザが選曲することにより１枚の記録用ディスクに楽曲データを記録する際の動作を説明する。
【０１０９】
以下では、ディスク再生装置１がディスクのオートチェンジ機能を備えているものとして説明する。また、ディスク再生装置１は、オートチェンジ機能を実現するため、図１１に示すように、複数の再生用ディスクを装填するマガジン（又はトレー、以下「マガジン・トレー」という。）ＭＴ１を備えるものとする。
【０１１０】
ここでは、マガジン・トレーＭＴ１には、３枚の再生用ディスクＤＰ１０〜ＤＰ１２が装填されているものとする。また、各再生用ディスクＤＰ１０〜ＤＰ１２は、上記ディスク再生・記録処理により作成されたものであり、それぞれにディスク管理番号００１〜００３が付されているものとする。
【０１１１】
図１２は、再生用ディスクＤＰ１０〜ＤＰ１２について管理データ格納エリア２１に格納されているデータの構成を例示する図である。
【０１１２】
図示するように再生用ディスクＤＰ１０（ディスク管理番号００１）は、トラック数が１３でディスクネームとして「ＪＥＴ・・・」なる文字データが記録されている。また、再生用ディスクＤＰ１１（ディスク管理番号００２）は、トラック数が１０でディスクネームやトラックネームとなる文字データが付されていないディスクである。さらに、再生用ディスクＤＰ１２（ディスク管理番号００３）は、トラック数が１１で、ディスクネームとして「ＤＩＳ・・・」なる文字データが記録されている。
【０１１３】
ユーザは、入力部１５が備える録音キー（図示せず）を押下する等して録音処理の開始を指示する。ディスク情報処理装置４は、録音処理開始の指示を受けて、図１３のフローチャートに示す選曲記録処理を開始する。
【０１１４】
制御部１２は、ディスク再生装置１とディスク記録・再生装置２に再生用ディスクＤＰ１０〜ＤＰ１２及び記録用ディスクＤＲ２のリードインエリアの読み取りを指示する。
【０１１５】
ディスク再生装置１は、再生用ディスクＤＰ１０〜ＤＰ１２のリードインエリアに記録されたディスク管理番号を読み出し、信号処理部１６を介して制御部１２に送る。また、ディスク記録・再生装置２は、記録用ディスクＤＲ２のリードインエリアに記録されたデータを再生し、信号処理部１６を介して制御部１２に送る（ステップＳ４０）。
【０１１６】
制御部１２は、ディスク再生装置１から受けたディスク管理番号により、管理データ格納エリア２１において再生用ディスクＤＰ１０〜ＤＰ１２の文字データが格納されている位置を特定する（ステップＳ４１）。
【０１１７】
制御部１２は、管理データ格納エリア２１からディスク管理番号に対応した文字データを取り出し、信号処理部１６を介して音響・画像出力装置３に画面表示させる（ステップＳ４２）。
【０１１８】
図１４は、音響・画像出力装置３が出力する表示画面の一例を示す図である。このような表示画面において、ユーザは、入力部１５からカーソルＣＳの移動を指示して所望の曲の位置に移動させて選曲する。
【０１１９】
この例では、ユーザは、記録用ディスクＤＲ２の１曲目に再生用ディスクＤＰ１２の２トラック目に収録されている曲（「光の射・・・」なるタイトルが付されている）を選択している。また、ユーザは、記録用ディスクＤＲ２の２曲目に再生用ディスクＤＰ１１の１トラック目に収録されている曲を選択し、３曲目に再生用ディスクＤＰ１０の１３トラック目に収録されている曲（「ＭＯＴ・・・」なるタイトルが付されている）を選択している。
【０１２０】
ここで、管理データ格納エリア２１は、各曲のイントロ部分を格納していることから、制御部１２は、ユーザが表示画面に従って曲を選択すると、選択した曲のイントロ部分を音響・画像出力装置３から音響出力することができる。
【０１２１】
次に、制御部１２は、図１３のステップＳ４３にて、記録用ディスクＤＲ２に記録する曲が選択される毎に、選択された曲に関するデータを管理データ格納エリア２１から読み出し、記録順序に従った配置で編集データ格納エリア２２に記録する。
【０１２２】
図１４に示した例における管理データ格納エリア２１と編集データ格納エリア２２が格納するデータの構造を図１５に示す。
図示するように、制御部１２は、記録用ディスクＤＲ２のディスク管理番号、曲順番号（トラック番号）、文字データを、記録順序に従った配置で編集データ格納エリア２２に格納し、記録用ディスクＤＲ２への書込に備える。
【０１２３】
この際、編集データ格納エリア２２は、記録用ディスクＤＲ２に書き込む曲が収録されている再生用ディスクＤＰ１０〜ＤＰ１２のディスク管理番号及びその曲が収録されているトラック番号を記録用ディスクＤＲ２の曲順番号（トラック番号）と関連付けて記録する。
これにより、制御部１２は、ディスク再生装置１が再生用ディスクＤＰ１０〜ＤＰ１２から楽曲データを再生する順序を特定することができる。
【０１２４】
また、ユーザが名前の付いていない曲（図１４にて「Ｎｏ  Ｎａｍｅ」なる画面表示で示される）に文字データを付加する場合には、制御部１２が上記文字データ選択処理と同様の処理を実行して、記録する文字データを選択することができる。
【０１２５】
この後、制御部１２は、図１３のステップＳ４４にて、ユーザが入力部１５の録音ボタンを再び押下する等して録音開始を指示するのを待つ（ステップＳ４４にてＮＯ）。
【０１２６】
制御部１２は、録音開始の指示を受けると（ステップＳ４４にてＹＥＳ）、ステップＳ４０にてディスク記録・再生装置２から受けたデータにより、記録用ディスクＤＲ２にディスク管理番号が付されているか否かを判別する（ステップＳ４５）。
【０１２７】
制御部１２は、記録用ディスクＤＲ２にディスク管理番号が付されていないと判別すると（ステップＳ４５にてＮＯ）、ディスク記録・再生装置２にディスク管理番号の書込を指示する。
【０１２８】
ディスク記録・再生装置２は、ディスクを管理するための識別番号であるディスク管理番号を記録用ディスクＤＲ２のリードインエリアに書き込む（ステップＳ４６）。
【０１２９】
一方、制御部１２は、記録用ディスクＤＲ２にディスク管理番号が付されていると判別すると（ステップＳ４５にてＹＥＳ）、ステップＳ４６の処理をスキップし、ステップＳ４７に処理を進める。
【０１３０】
制御部１２は、ディスク記録・再生装置２に曲順番号（トラック番号）を記録するよう指示を与え、ディスク記録・再生装置２は、記録用ディスクＤＲ２のリードインエリアに曲順番号（トラック番号）を書き込む（ステップＳ４７）。
【０１３１】
制御部１２は、編集データ格納エリア２２から文字データを読み出して信号処理部１６を介してディスク記録・再生装置２に送る。
ディスク記録・再生装置２は、受け取った文字データを記録用ディスクＤＲ２のリードインエリアに書き込む（ステップＳ４８）。
【０１３２】
次に、制御部１２は、編集データ格納エリア２２が保持するデータ内の記録用ディスクＤＰ１０〜ＤＰ１２のディスク管理番号とトラック番号に従って、ディスク再生装置１に、再生するディスク及びトラックの順番を通知する。即ち、制御部１２は、ディスク再生装置１がある曲の再生を終えると、次に再生する曲が収録されている再生用ディスクＤＰ１０〜ＤＰ１２のディスク管理番号及びトラック番号を編集データ格納エリア２２から読み出してディスク再生装置１に通知する。
【０１３３】
ディスク再生装置１は、制御部１２から受けた通知に従って、再生用ディスクＤＰ１０〜ＤＰ１２を入れ替えつつ楽曲データを再生し、ディスク記録・再生装置２に送る。
ディスク記録・再生装置２は、ディスク再生装置１から受けた楽曲データを順次記録用ディスクＤＲ２に記録する（ステップＳ４９）。
【０１３４】
制御部１２は、楽曲データの再生・記録が終了したことを検出して、選曲記録処理を終了する。
【０１３５】
このようにして、順次ディスク再生装置１が再生用ディスクＤＰ１０〜ＤＰ１２を再生して、ディスク記録・再生装置２が記録用ディスクＤＲ２に記録することで、複数の再生用ディスクから曲を選択して、簡単に楽曲データ及び文字データを記録することができる。
【０１３６】
以上説明したように、このディスク記録再生システムは、ディスク情報処理装置４がディスクに記録する文字データを、ディスク管理番号等と共に統括的に管理して、ＲＡＭ１１に保持する。また、ディスク情報処理装置４は、通信Ｉ／Ｆ１０が外部のデータ蓄積機関から文字データを取得して文字データ格納エリア２０に保持する。これにより、ユーザは画面表示に従った簡単な操作で記録用ディスクに書き込む文字データを選択して入力することができる。
特に、ＤＶＤ等の高密度記録媒体といった、多数の曲を収録することができるディスク状記録媒体に文字データを入力する際には、１文字ずつ選択することによる文字データの入力に比べ、ユーザの手間を大幅に軽減することができる。
【０１３７】
また、このディスク記録再生システムは、ディスク記録・再生装置２が書込を行った記録用ディスクＤＲを管理するためのデータを、ディスク情報処理装置４のＲＡＭ１１内の管理データ格納エリア２１に格納することができる。そして、制御部１２は、管理データ格納エリア２１が格納するデータを音響・画像出力装置３に音響出力及び画面出力させることができる。これにより、ユーザは、自ら編集した記録用ディスクＤＲの記録内容を簡単に確認することができる。
【０１３８】
この発明は、上記実施の形態に限定されず、様々な変形及び応用が可能である。
例えば、文字データ格納エリア２０は、アーティストの名前と、そのアーティストに関する文字データが取得可能な外部のデータ蓄積機関の位置を示すアクセスコードとを関連付けて格納するようにしてもよい。この場合、通信Ｉ／Ｆ１０は、外部のデータ蓄積機関にアクセスする際に、アーティスト名と関連付けられたＵＲＬ等のアクセスコードを文字データ格納エリア２０から読み出して、文字データを提供するデータ蓄積機関を特定してアクセスすればよい。
これにより、ディスク情報処理装置４は、ユーザが入力部１５からＵＲＬ等のアクセスコードを入力することなく、簡単に文字データを取得することができる。
【０１３９】
また、管理データ格納エリア２１が記録する楽曲データは、イントロ部分に限定されるものではなく、ユーザが曲を識別しやすい部分（例えば、いわゆるサビの部分）であればよい。
【０１４０】
【発明の効果】
以上の説明のように、この発明は、光読取式ディスク状記録媒体に書き込むデータを統括して管理することにより、記録用ディスクに楽曲データと共に記録する文字データを簡単に作成することができ、また、記録内容を簡単に確認することができる。
【図面の簡単な説明】
【図１】この発明の実施の形態に係るディスク記録再生システムの構成を示す図である。
【図２】ディスク情報再生装置が備えるＲＡＭの構成を示す図である。
【図３】管理データ格納エリアが格納するデータの構成の一例を示す図である。
【図４】編集データ格納エリアが格納するデータの構成の一例を示す図である。
【図５】ディスク記録再生システムが、１枚の再生用ディスクから楽曲データを再生して１枚の記録用ディスクに記録する際の動作を説明するための図である。
【図６】ディスク再生・記録処理を説明するためのフローチャートである。
【図７】文字データ選択処理を説明するためのフローチャートである。
【図８】音響・画像出力装置が出力する表示画面の一例を示す図である。
【図９】音響・画像出力装置が出力する表示画面の一例を示す図である。
【図１０】最新データ取得処理を説明するためのフローチャートである。
【図１１】ディスク記録再生システムが、複数の再生用ディスクから楽曲データを再生して１枚の記録用ディスクに記録する際の動作を説明するための図である。
【図１２】管理データ格納エリアが格納するデータの一例を示す図である。
【図１３】選曲記録処理を説明するためのフローチャートである。
【図１４】音響・画像出力装置が出力する表示画面の一例を示す図である。
【図１５】管理データ格納エリアと編集データ格納エリアが格納するデータの一例を示す図である。
【符号の説明】
１  ディスク再生装置
２  ディスク記録・再生装置
３  音響・画像出力装置
４  ディスク情報処理装置
１０  通信Ｉ／Ｆ
１１  ＲＡＭ
１２  制御部
１３  ＲＯＭ
１４  表示部
１５  入力部
１６  信号処理部
１７  バス
２０  文字データ格納エリア
２１  管理データ格納エリア
２２  編集データ格納エリア
ＣＳ    カーソル
ＤＰ、ＤＰ１、ＤＰ１０〜ＤＰ１２        再生用ディスク
ＤＲ、ＤＲ１、ＤＲ２                    記録用ディスク
ＭＴ１  マガジン・トレー
【図１】
0003593280.tif 000002
【図２】
0003593280.tif 000003
【図３】
0003593280.tif 000004
【図４】
0003593280.tif 000005
【図５】
0003593280.tif 000006
【図６】
0003593280.tif 000007
【図７】
0003593280.tif 000008
【図８】
0003593280.tif 000009
【図９】
0003593280.tif 000010
【図１０】
0003593280.tif 000011
【図１１】
0003593280.tif 000012
【図１２】
0003593280.tif 000013
【図１３】
0003593280.tif 000014
【図１４】
0003593280.tif 000015
【図１５】
0003593280.tif 000016